(57)【要約】【課題】簡易で効果的に認知機能の改善が可能な認知機能改善器具を提供する。【解決手段】認知機能改善器具１００は、第１のカバー１０が頭部を覆い、且つ、第２のカバー２０が顎部を覆い、支持部が顔の側面を覆うことで、認知機能改善器具１００が、頭部と顎部にしっかりと装着されるように形成されている。認知機能改善器具１００が、頭部と顎部に装着されている状態で、会話、食事などで口を動かすときに，顎部も連動して動くことより、この顎部の装着されている第２のカバー２０に装着されている鉄部材２１も連動して動くことになる。顎部の移動に対応して複数の磁石１２から鉄部材２１への磁力、つまり磁力線や磁束の向きも移動することになり、頭部の内部を通過する磁力線や磁束の向きも移動することになり、頭部の細胞に刺激を与えるように形成されている。【選択図】図１
0003221498.tif 000002
【実用新案登録請求の範囲】
【請求項１】
複数の磁石と、前記複数の磁石の磁力に反応する金属を有し、前記複数の磁石と前記金属を用いて形成されている認知機能改善器具であって、
人間の頭部を覆うように形成されている第１のカバーを有し、前記第1のカバーに前記複数の磁石が装着され、
前記人間の顎部を覆うように形成されている第２のカバーを有し、前記第２のカバーに前記金属が装着され、
支持部を有し、前記支持部を介して前記第１のカバーと前記第２のカバーが一体的になるように形成されており、
前記第1のカバーを前記頭部に装着し、前記第２のカバーを前記顎部に装着した状態において、前記顎部の移動に対応して前記複数の磁石から前記金属への磁力線も移動することにより、前記頭部の内部を通過する前記磁力線も移動することになり、前記頭部の細胞に刺激を与えるように形成されていることを特徴とする認知機能改善器具。
【請求項２】
前記複数の磁石の磁力に反応する金属は、鉄で形成されている鉄部材であることを特徴とする請求項１に記載の認知機能改善器具。
【請求項３】
前記第１のカバーの上部と前記複数の磁石の間には、外部からの磁界の影響を抑制する磁界抑制部材が貼り付けられていることを特徴とする請求項１または請求項２に記載の認知機能改善器具。
【請求項４】
前記第１のカバーは、帽子の形状であることを特徴とする請求項１から請求項３のいずれかに記載の認知機能改善器具。
【考案の詳細な説明】
【技術分野】
【０００１】
本考案は、認知機能改善器具に関する。
【背景技術】
【０００２】
認知機能とは、物事をはっきりと知ること、または生物が対象の知識を得るために、外部の情報を能動的に収集し、それを記憶し、さらに推理、判断を加えて処理する過程と定義されており、また、認知科学における認知とは精神医学や心理学的な解釈である理解、判断、論理などの知的機能、知能などに類似した意味や知覚を中心とした概念である。また、認知機能は、視覚、聴覚、嗅覚、触覚、味覚の五感であり、平衡感覚、前庭感覚、固有受容覚、などの感覚を受容していく機能である。加えて、脳の機能としては、思考、創造、理解、判断、記憶、視覚がある。このような認知機能の改善には、種々の方法があるが、例えば、電気けいれん刺激装置によるうつ様症状改善効果と同等の効果及び経頭蓋磁気刺激装置によるうつ様症状改善効果ならびに認知症状改善効果と同等の効果を発揮できるとともに医療機関での治療に制限される電気けいれん刺激装置や経頭蓋磁気刺激装置と比較して、住環境でも利用できることを目的とする認知症状改善のための器具が開示されている。
【先行技術文献】
【特許文献】
【０００３】
【特許文献１】特開２０１７−１９２８１２
【考案の概要】
【考案が解決しようとする課題】
【０００４】
上記のとおり認知機能改善のための方法、器具などが開示され、普及しているが、これらは複雑で簡易に使用できるものではなく、より簡易に効果的に認知機能の改善が行われるものが求められていた。そこで本考案は、このような課題を解決するためになされたもので、簡易で効果的に認知機能の改善が可能な認知機能改善器具を提供するものである。
【課題を解決するための手段】
【０００５】
上記課題を解決するために、本考案に係る認知機能改善器具は、複数の磁石と、前記複数の磁石の磁力に反応する金属を有し、前記複数の磁石と前記金属を用いて形成されている認知機能改善器具であって、人間の頭部を覆うように形成されている第１のカバーを有し、前記第1のカバーに前記複数の磁石が装着され、前記人間の顎部を覆うように形成されている第２のカバーを有し、前記第２のカバーに前記金属が装着され、支持部を有し、前記支持部を介して前記第１のカバーと前記第２のカバーが一体的になるように形成されており、前記第1のカバーを前記頭部に装着し、前記第２のカバーを前記顎部に装着した状態において、前記顎部の移動に対応して前記複数の磁石から前記金属への磁力線も移動することにより、前記頭部の内部を通過する前記磁力線も移動することになり、前記頭部の細胞に刺激を与えるように形成されていることを特徴とする。
【０００６】
本考案に係る認知機能改善器具の態様について、前記複数の磁石の磁力に反応する金属は、鉄で形成されている鉄部材であることを特徴とする。
【０００７】
本考案に係る認知機能改善器具の態様について、前記第１のカバーの上部と前記複数の磁石の間には、外部からの磁界の影響を抑制する磁界抑制部材が貼り付けられていることを特徴とする。
【０００８】
本考案に係る認知機能改善器具の態様について、前記第１のカバーは、帽子の形状であることを特徴とする。
【考案の効果】
【０００９】
本考案によれば、簡易で効果的に認知機能の改善が可能な認知機能改善器具を提供することができる。
【図面の簡単な説明】
【００１０】
【図１】実施形態の認知機能改善器具の一例を示す参考図である。
【考案を実施するための形態】
【００１１】
以下、本考案の実施形態を、図１を用いて説明する。図１（ａ）は、認知機能改善器具１００の使用状態の一例を示す模式図であり、図１（ｂ）は、認知機能改善器具１００の内部の構成である磁石１１、鉄部材２１などを説明するための参考図である。なお。必須の構成ではないが、第１のカバー１０の上部と複数の磁石１１の間には、外部からの磁界などの影響を抑制する磁界抑制部材１２を設けてもよく、この例においてはアルミ箔を貼り付けているが、これは一例であり適宜最適な部材を選択すればよい。
【００１２】
本考案の認知機能改善器具は、複数の磁石と、これら複数の磁石の磁力に反応する金属を有しており、複数の磁石と金属が基本的な構成であり、実施形態の認知機能改善器具１００は、人間の頭部を覆うように形成されている第１のカバー１０を有しており、第1のカバー１０に複数の磁石１１が装着されている。第１のカバー１０は、例えば、帽子の形状に形成されており、複数の磁石１１のそれぞれは、第１のカバー１０の内側で、頭部に接する面に略均一の間隔をもって装着されている。なお、第１のカバー１０は、この例において布製であるが、これに限定され適宜最適なものを選択すればよい。
【００１３】
認知機能改善器具１００は、人間の顎部を覆うように形成されている第２のカバー２０を有しており、第２のカバー２０には金属、この例において鉄で形成されている鉄部材２１が装着されている。第２のカバー２０は、この例において布製であり、鉄部材２１は、この布製の第２のカバー２０の内部に覆われるように装着されている。
【００１４】
また、認知機能改善器具１００は、支持部３０を有しており、この支持部３０を介して第１のカバー１０と第２カバー２０が一体的になるように形成されている。すなわち、第１のカバー１０が頭部を覆い、且つ、第２のカバー２０が顎部を覆い、支持部３０が顔の側面を覆うことで、認知機能改善器具１００が、頭部と顎部にしっかりと装着されるように形成されている。なお、この例において、第１のカバー１０と支持部３０は、一体的に形成されており、第２のカバー２０と支持部３０は、面ファスナーを用いて着脱可能なものとしているが、これに限定されず適宜最適なものとすればよい。
【００１５】
このような構成の認知機能改善器具１００は、第1のカバー１０を頭部に装着し、第２のカバー２０を顎部に装着した状態において、顎部の移動に対応して複数の磁石１２から鉄部材２１への磁力、つまり磁力線や磁束の向きも移動することになり、頭部の内部を通過する磁力線や磁束の向きも移動することにより、例えば頭部の細胞に刺激を与えるように形成されている。
【００１６】
すなわち、認知機能改善器具１００が、頭部と顎部に装着されている状態で、会話、食事などで口を動かすときに，顎部も連動して動くことより、この顎部の装着されている第２のカバー２０の装着されている鉄部材２１も連動して動くことになる。
【００１７】
このように鉄部材２１が、頻繁に動くことにより、複数の磁石１１からの磁力が、変化することになる。この磁力は、頭部の中の脳の細胞を介しており、脳の細胞に与える磁力が変動するものと考えられる。
【００１８】
一般的に、脳の細胞が認知すると、脳内の物質が移動し、そして戻ることにより、この認知されたことが脳に記憶されるといわれており、このとき、移動した脳内の物質が戻らないことにより、認知機能の障害となるのではないかといわれている。本考案の認知機能改善器具１００を頭と顎に装着して、顎を動かすことにより、磁力線の影響で上記の脳内の物質を戻す働きがあるのではないかと推測している。実際に、本考案の認知機能改善器具１００を、実験で使用しているが、歩行の改善、記憶の改善が確認されている。
【００１９】
上記のこの考案は、研究に研究を重ねて作り上げたものであり、認知機能を改善するための器具を用いて認知機能の低下の抑制，防止、認知機能の改善など、簡易な構成で誰でも使用することができるものである。認知機能の低下が感じられる方に、例えば１２時間程度の間、本考案の認知機能改善器具１００を頭に装着して、会話、食事などで顎を動かすことにより認知機能の改善が徐々に行われているということを感じることができ、また、歩行の改善、物忘れの改善などの効果を実感することができる優れたものである。
【００２０】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２１】
また、考案の認知機能改善器具の大きさや形状、素材の材質、厚さ、重さなどについては多様な実施形態が可能であり、それらについて本実施形態と異なる形態による実施は、本考案の技術的範囲に含まれる。
【符号の説明】
【００２２】
１００  認知機能改善器具
１０    第１のカバー
１１    磁石
１２    磁界抑制部材
２０    第２のカバー
２１    鉄部材
３０    支持部
【図１】
0003221498.tif 000003